(57)【要約】      （修正有）【課題】取り換え回数を少なくするとともに顔面側マスク部を顔面により密着して固定することが可能なマスクを提供する。【解決手段】マスク１は、顔面側マスク部２と後部側マスク部３とこれらを架橋する上端架橋部４及び下端架橋部５を有し、これら顔面側マスク部２、後部側マスク部３、上端架橋部４及び下端架橋部５は、一体して構成されている。上端架橋部４及び下端架橋部５に挟まれる形で耳出し部６が左右の両方に設けられている。これら顔面側マスク部２、後部側マスク部３、上端架橋部４及び下端架橋部５は、腹巻やゴム繊維や布のように弾力性のある材料により構成されている。【選択図】図１
0003226975.tif 000002
【実用新案登録請求の範囲】
【請求項１】
顔面の口と鼻を覆う顔面側マスク部と
顔面と反対側の後頭部を覆う後部側マスク部とを有し
前記顔面側マスク部と前記後部側マスク部とは結合されており、前記後部側マスク部を前記顔面側マスク部として使用可能なことを特徴とするマスク。
【請求項２】
前記顔面側マスク部と前記後部側マスク部とは一体として構成されていることを特徴とする請求項１記載のマスク。
【請求項３】
前記顔面側マスク部と前記後部側マスク部とを架橋する架橋部を有することを特徴とする請求項１又は２記載のマスク。
【請求項４】
前記架橋部は、前記顔面側マスク部の上端と前記後部側マスク部の上端とを架橋する上端架橋部及び前記顔面側マスク部の下端と前記後部側マスク部の下端とを架橋する下端架橋部を有し、前記上端架橋部と前記下端架橋部との間に耳を露出させる耳出し部を有していることを特徴とする請求項１、２又は３記載のマスク。
【請求項５】
前記顔面側マスク部と前記後部側マスク部とは異なる構成により異なる機能が発揮されるようにされていることを特徴とする請求項１、２、３又は４記載のマスク。
【考案の詳細な説明】
【技術分野】
【０００１】
本考案に係るマスクは、ウイルス等の体内への流入を防止することにより風邪等の病気になることを予防したり重症化等を防ぐために顔面の口や鼻を覆うためのものである。
【背景技術】
【０００２】
現在、風邪やウイルス等の体内への流入の予防のため、マスクをすることがあるが、従来のマスクは、顔面の口と鼻を覆う顔面側マスク部及び当該顔面側マスク部を顔面に密着して固定するためのゴムが顔面側マスク部の両端に固定されている。このゴムを両耳にひっかけることにより、顔面側マスク部を顔面に密着して固定するようにされている。
【考案の概要】
【考案が解決しようとする課題】
【０００３】
しかし、従来のマスクは、一度使用すると新しいマスクと取り換えるか、又は洗い直して複数回使用することになるが、取り換え回数が多くなり、煩雑であるという問題がある。また、ゴムを両耳にひっかけることにより、顔面側マスク部を顔面に密着して固定するとゴム側から顔面側マスク部にウイルス等が口や鼻に入りやすいという問題がある。
そこで、本考案は、取り換え回数が少なくするとともに顔面側マスク部を顔面により密着して固定することが可能なマスクを提供することを目的とする
【課題を解決するための手段】
【０００４】
請求項１に係る考案は、顔面の口と鼻を覆う顔面側マスク部と顔面と反対側の後頭部を覆う後部側マスク部とを有し前記顔面側マスク部と前記後部側マスク部とは結合されており、前記後部側マスク部を前記顔面側マスク部として使用可能なことを特徴とするマスクを提供する。「前記後部側マスク部を前記顔面側マスク部として使用可能」とは、マスクを１８０度回転させて後部側マスク部を顔面側にもってきて顔面側マスク部を後頭部側にもってきてマスクをそのまま使用しつづけることができるように前記後部側マスク部が前記顔面側マスク部と同一機能を果たしうるような構成になっていること又は前記顔面側マスク部と異なる機能を果たしうるがマスクとして使用できるような構成になっていることをいう。
請求項２に係る考案は、前記顔面側マスク部と前記後部側マスク部とは一体として構成されていることを特徴とする請求項１記載のマスクを提供する。「一体として構成されている」とは、前記顔面側マスク部と前記後部側マスク部とが同一繊維等の同一材料で一体となっていることをいう。
請求項３に係る考案は、前記顔面側マスク部と前記後部側マスク部とを架橋する架橋部を有することを特徴とする請求項１又は２記載のマスクを提供する。
請求項４に係る考案は、前記架橋部は、前記顔面側マスク部の上端と前記後部側マスク部の上端とを架橋する上端架橋部及び前記顔面側マスク部の下端と前記後部側マスク部の下端とを架橋する下端架橋部を有し、前記上端架橋部と前記下端架橋部との間に耳を露出させる耳出し部を有していることを特徴とする請求項１、２又は３記載のマスクを提供する。
請求項５に係る考案は、前記顔面側マスク部と前記後部側マスク部とは異なる構成により異なる機能が発揮されるようにされていることを特徴とする請求項１、２、３又は４記載のマスクを提供する。
【考案の効果】
【０００５】
上記請求項１に係る考案により、後部側マスク部を顔面側マスク部として使用可能であるのでマスクを取り換えることなく、１つのマスクで対応可能であるので取り換え回数を少なくすることが可能となる。
上記請求項２に係る考案により、顔面側マスク部と後部側マスク部とは一体として構成されているので顔面側マスク部を顔面により密着して固定することが可能になる。
上記請求項３に係る考案により、顔面側マスク部と後部側マスク部とを架橋する架橋部を有するので両耳を保護することが可能になる。
上記請求項４に係る考案により、上端架橋部と下端架橋部との間に耳を露出させる耳出し部を有しているので耳を外に出すことが可能となり、聴力を維持しつつより確実にマスクを顔面に固定することが可能となる。
上記請求項５に係る考案により、前記顔面側マスク部と前記後部側マスク部とは異なる構成により異なる機能が発揮されるようすることが可能であるのマスクの利用価値を高めることができる。
【図面の簡単な説明】
【０００６】
【図１】本考案の第一実施例に係るマスクの正面、平面、左側面及び参考斜視を表す図
【図２】本考案の第二実施例に係るマスクの正面、平面、左側面及び参考斜視を表す図
【考案を実施するための形態】
【実施例１】
【０００７】
図１は、本考案の第１実施例に係るマスクの正面、平面、左側面及び参考斜視を表す図を示す。図面において底面図は平面図と同一である。右側面図は左側面図と同一である。
参考斜視図に示すように、本考案の第１実施例に係るマスク１は、顔面側マスク部２と後部側マスク部３とこれらを架橋する上端架橋部４及び下端架橋部５を有し、これら顔面側マスク部２、後部側マスク部３、上端架橋部４及び下端架橋部５は、一体して構成されている。上端架橋部４及び下端架橋部５に挟まれる形で耳出し部６が左右の両方に設けられている。これら顔面側マスク部２、後部側マスク部３、上端架橋部４及び下端架橋部５は、腹巻やゴム繊維や布のように弾力性のある材料により構成されている。
マスク１を使用する際、まず、顔面側マスク部２を顔面側にもってきて後部側マスク部３を後頭部側にもってきてマスク１を頭からかぶり、左右の両耳を各々耳出し部６から出してマスク１を顔面に固定させることになる。マスク１の顔面側マスク部２の上端部は、顔面の鼻の付け根の上端で両眼の直下に位置するように設計されている。マスク１の顔面側マスク部２の下端部は、顔面のあごの下端に位置するように設計されている。
次に、所定期間使用後はこのマスク１を１８０度だけ回転させて後部側マスク部３を顔面側にもってきて顔面側マスク部２を後頭部側にもってきてマスク１をそのまま使用しつづけることができる。即ち、後部側マスク部３を顔面側マスク部２と同じ機能を果たすように使用することになる。同様に、顔面側マスク部２を後部側マスク部３と同じ機能を果たすように使用することになる。
特に、顔面側マスク部２、後部側マスク部３、上端架橋部４及び下端架橋部５は、一体して構成されているのでマスク１が顔面に確実に接触することになり、顔面の口や鼻からウイルスの体内への流入を防止するのに有効である。さらに、所定期間使用後はこのマスク１を１８０度だけ回転させて後部側マスク部３を顔面側にもってきて顔面側マスク部２を後頭部側にもってきてマスク１をそのまま使用しつづけることができるので長期間使用可能である。
【実施例２】
【０００８】
図２は、本考案の第２実施例に係るマスクの正面、平面、左側面及び参考斜視を表す図を示す。図面において底面図は平面図と同一である。右側面図は左側面図と同一である。
実施例１と異なり、顔面側マスク部２が平面形状に形成されているとともに耳出し部６が明確な六角形状になっている。顔面側マスク部２が平面形状に形成されているとともに後部側マスク部３が湾曲形状に形成されているので顔面側マスク部２と後部側マスク部３との間で異なる機能を付与することができる。例えば、顔面側マスク部２は顔面への密着性能が強いのに対し後部側マスク部３は後頭部への締付機能が強いという形で各機能に応じた構成とすることが可能である。
【図１】
0003226975.tif 000003
【図２】
0003226975.tif 000004